(57)【要約】【課題】  複数負荷の駆動において駆動損失を最小に抑え、画質・コスト・サイズ等を犠牲にすることなく省エネルギー化を可能にする画像形成装置を提供する。【解決手段】  複数の回転可能な感光体ドラムを略直線上に配置し、該感光体ドラムに形成した像を記録材に転写して画像を形成する画像形成装置において、前記複数の感光体ドラム５ｙ，５ｍ，５ｃ，５Ｂｋはそれぞれ回転軸に駆動伝達ギア31ｙ，31ｍ，31ｃ，31Ｂｋを有し、それぞれの駆動伝達ギアには１つの段ギアを介してモータ41からの駆動力が伝達されることを特徴とする。【選択図】    図１
2005141142.tif 000002
【特許請求の範囲】
【請求項１】
複数の回転可能な像担持体を有し、該像担持体に形成した像を転写媒体に転写して画像を形成する画像形成装置において、
前記複数の像担持体はそれぞれ回転軸に駆動伝達ギアを有し、それぞれの駆動伝達ギアには１つの中間駆動伝達部材を介して駆動源からの駆動力が伝達されることを特徴とする画像形成装置。
【請求項２】
前記中間駆動伝達部材は、第１ギア部と第２ギア部とを有する段ギアであり、前記略直線上に配置された複数の像担持体のうち両端に配置された像担持体の駆動伝達ギアは前記第１ギア部と噛合し、それ以外の像担持体の駆動伝達ギアは前記第２ギア部と噛合することを特徴とする請求項１記載の画像形成装置。
【請求項３】
前記略直線上に配置された複数の像担持体のうち、両端に配置された像担持体端部の駆動伝達ギアの歯数をＺD1、それ以外の像担持体の駆動伝達ギアの歯数をＺD2、
前記中間駆動伝達部材の第１ギア部の歯数をＺ01、第２ギア部の歯数をＺ02、
としたとき、
ＺD1／Ｚ01＝ＺD2／Ｚ02
の関係式が成り立つことを特徴とする請求項２記載の画像形成装置。
【請求項４】
前記転写媒体は中間転写体であり、前記画像形成装置は前記像担持体に形成した像を前記中間転写体に一次転写し、該中間転写体の像を記録材に二次転写して画像形成する画像形成装置であり、
前記中間転写体を駆動するための駆動源が前記像担持体を駆動するための駆動源と同一であることを特徴とする請求項１乃至請求項３のいずれかに記載の画像形成装置。
【請求項５】
前記転写媒体は記録材であり、
前記画像形成装置は前記像担持体に形成した像を記録材搬送体により搬送される記録材に転写して画像形成する画像形成装置であり、
前記記録材搬送体を駆動するための駆動源が前記像担持体を駆動するための駆動源と同一であることを特徴とする請求項１乃至請求項３のいずれかに記載の画像形成装置。
【請求項６】
前記中間転写体又は前記記録材搬送体はベルト部材であり、該ベルト部材を駆動するための駆動ローラの回転軸に設けられた駆動ギアと前記中間駆動伝達部材のギア部とが噛合することで前記ベルト部材に駆動伝達され、
前記像担持体の径をＤ1、前記駆動ローラの径をＤ2、
前記像担持体の回転軸に設けられた駆動伝達ギアであって、前記駆動ギアと同じ中間駆動伝達部材のギア部と噛合する駆動伝達ギアの歯数をＺD3、前記駆動ギアの歯数をＺD4、
としたとき、
Ｄ1／ＺD3＝Ｄ2／ＺD4
の関係が成り立つことを特徴とする請求項４又は請求項５に記載の画像形成装置。
【請求項７】
前記駆動源の駆動軸に設けられたギアと前記中間駆動伝達部材のギア部とが噛合する位置と、前記中間駆動伝達部材の回転中心を結ぶ線分と、前記像担持体の回転軸に設けた駆動伝達ギアと前記中間駆動伝達部材のギア部とが噛合する位置と、前記中間駆動伝達部材の回転中心を結ぶ線分とのなす配置角度が鋭角であることを特徴とする請求項１乃至請求項６のいずれかに記載の画像形成装置。
【発明の詳細な説明】
【技術分野】
【０００１】
本発明は、複写機、プリンタ、ＦＡＸなどの画像形成装置に係るものであり、詳しくは、複数の像担持体が一直線上に配列され、各像担持体の回転軸の端部には、歯の噛み合いによる駆動伝達部材が設けられた画像形成装置に関する。
【背景技術】
【０００２】
従来、電子写真方式を用いたカラー画像形成装置として、互いに異なる色の画像に対応する潜像がそれぞれ形成される４つの像担持体を記録材の搬送方向に沿って平行に配列し、記録材の搬送経路に沿って記録材を１度通すだけで、該記録材上にカラー画像を形成することができる、いわゆるタンデム方式の画像形成装置が知られている。
【０００３】
すなわち、図４に示すように、イエローｙ、マゼンタｍ、シアンｃ、ブラックＢｋの各色トナー像を形成する感光体ドラム５ｙ，５ｍ，５ｃ，５Ｂｋを一列に配置し、各色トナー像を中間転写ベルト16に重畳転写することでカラー画像を形成し、そのカラー像を図示しない搬送系によって搬送される記録材に二次転写してカラー画像を記録するものである。
【０００４】
ここで、図４は従来のタンデム方式の画像形成装置の駆動構成を示す説明図であり、これに基づいて従来の駆動伝達構成について説明すると、このような画像形成装置にあっては、感光体ドラム５ｙ，５ｍ，５ｃ，５Ｂｋと中間転写ベルト16は別の駆動源であるモータ41，42で駆動されている。一方のモータ41の回転駆動は、取り付けられたモータギア41ａからアイドルギア43，44を介してギアプーリ45に伝達される。ギアプーリ45，46は歯車とプーリが一体的に取り付けられている。ギアプーリ45のプーリには歯付ベルト47が掛け回されており、ギアプーリ46へ駆動を伝達する。感光体ドラム５ｙ，５ｍ，５ｃ，５Ｂｋの回転軸の端部には、駆動伝達ギア31ｙ，31ｍ，31ｃ，31Ｂｋが取り付けられておりギアプーリ45，46から駆動を伝達される。
【０００５】
以上の構造の駆動伝達構成において、モータ41を駆動すると、各ギア41ａ，43，44、プーリ45、歯付ベルト47へ順に回動駆動力が伝達され、感光体ドラム５ｙ，５ｍ，５ｃ，５Ｂｋがほぼ同時に回転する。
【０００６】
また、中間転写ベルト16を駆動するための駆動ローラ16ａの端部にはプーリ48が取り付けられている。モータ42にはプーリ42ａが取り付けられており、それらには歯付ベルト49が掛け回されている。
【０００７】
さらに、現像器７ｙ，７ｍ，７ｃ，７Ｂｋへの駆動は図示しない駆動源から50ｙ，50ｍ，50ｃ，50Ｂｋの各ギアを介して入力される。
【０００８】
【特許文献１】特開平10−312097号公報
【発明の開示】
【発明が解決しようとする課題】
【０００９】
しかしながら、上記従来のような駆動構成を用いた場合、近年の省エネルギー化への指向に対応する場合に、大きな問題を有している。即ち、駆動源であるモータから負荷に至るまで、減速のための歯車列が長く連なることにより、駆動効率が大きく低下するという問題である。その結果、大トルクや馬力のモータを使わなければならず、駆動源が高価になると共に省エネルギー化への阻害要因のひとつとなっていた。特に小型で安価な製品では、ひとつのモータで感光体以外にもなるべく多くの負荷を集約させて駆動することが望ましいため、駆動効率や回転負荷が大きくなり、結果、この問題が顕著となる。
【００１０】
上記従来例においても、モータ42を廃止し、モータ41の駆動を駆動ローラ16ａにまで伝達することは不可能ではないが、長大なギア列を連ねることになり、駆動効率という面からは好適でない。
【００１１】
また、本問題への解決策のひとつとして、複数の負荷をタイミングベルトを這い回すことで集約駆動する構成や、複数負荷をウォームギアで駆動する構成などが提案されているが、いずれも短所をも併せ持っている。例えば、タイミングベルトを這い回す駆動構成は、ベルトにかけるテンションが駆動効率向上へのポイントのひとつとなるが、テンションに耐えうる剛強な枠体構成も必要となる。また、ウォームギアを用いる駆動構成は、歯車列が短くなり、回転精度の点では優れてはいるものの、噛合い歯面での摩擦係数が大きいためオイル潤滑のための高価なオイルバス装置等を設ける必要がある。以上のように、いずれの提案も完全に問題を解決するには至っていないのが現状である。
【００１２】
本発明は上記問題点に鑑みなされたものであり、その目的は、複数負荷の駆動において駆動損失を最小に抑え、画質・コスト・サイズ等を犠牲にすることなく省エネルギー化を可能にする画像形成装置を提供するものである。
【課題を解決するための手段】
【００１３】
上記課題を解決するための本発明における第１の手段は、複数の回転可能な像担持体を有し、該像担持体に形成した像を転写媒体に転写して画像を形成する画像形成装置において、前記複数の像担持体はそれぞれ回転軸に駆動伝達ギアを有し、それぞれの駆動伝達ギアには１つの中間駆動伝達部材を介して駆動源からの駆動力が伝達されることを特徴とする。
【００１４】
第２の手段は、前記第１の手段において、前記中間駆動伝達部材は、第１ギア部と第２ギア部とを有する段ギアであり、前記略直線上に配置された複数の像担持体のうち両端に配置された像担持体の駆動伝達ギアは前記第１ギア部と噛合し、それ以外の像担持体の駆動伝達ギアは前記第２ギア部と噛合することを特徴とする。
【００１５】
第３の手段は、前記第２の手段において、前記略直線上に配置された複数の像担持体のうち、両端に配置された像担持体端部の駆動伝達ギアの歯数をＺD1、それ以外の像担持体の駆動伝達ギアの歯数をＺD2、前記中間駆動伝達部材の第１ギア部の歯数をＺ01、第２ギア部の歯数をＺ02、としたとき、ＺD1／Ｚ01＝ＺD2／Ｚ02の関係式が成り立つことを特徴とする。
【００１６】
第４の手段は、前記第１乃至第３のいずれかの手段において、前記転写媒体は中間転写体であり、前記画像形成装置は前記像担持体に形成した像を中間転写体に一次転写し、該中間転写体の像を記録材に二次転写して画像形成する画像形成装置であり、前記中間転写体を駆動するための駆動源が前記像担持体を駆動するための駆動源と同一であることを特徴とする。
【００１７】
第５の手段は、前記第１乃至第３のいずれかの手段において、前記転写媒体は記録材であり、前記画像形成装置は前記像担持体に形成した像を記録材搬送体により搬送される記録材に転写して画像形成する画像形成装置であり、前記記録材搬送体を駆動するための駆動源が前記像担持体を駆動するための駆動源と同一であることを特徴とする。
【００１８】
第６の手段は、前記第４又は第５の手段において、前記中間転写体又は前記記録材搬送体はベルト部材であり、該ベルト部材を駆動するための駆動ローラの回転軸に設けられた駆動ギアと前記中間駆動伝達部材のギア部とが噛合することで前記ベルト部材に駆動伝達され、前記像担持体の径をＤ1、前記駆動ローラの径をＤ2、前記像担持体の回転軸に設けられた駆動伝達ギアであって、前記駆動ギアと同じ中間駆動伝達部材のギア部と噛合する駆動伝達ギアの歯数をＺD3、前記駆動ギアの歯数をＺD4、としたとき、Ｄ1／ＺD3＝Ｄ2／ＺD4の関係が成り立つことを特徴とする。
【００１９】
第７の手段は、前記第１乃至第６のいずれかの手段において、前記駆動源の駆動軸に設けられたギアと前記中間駆動伝達部材のギア部とが噛合する位置と、前記中間駆動伝達部材の回転中心を結ぶ線分と、前記像担持体の回転軸に設けた駆動伝達ギアと前記中間駆動伝達部材のギア部とが噛合する位置と、前記中間駆動伝達部材の回転中心を結ぶ線分とのなす配置角度が鋭角であることを特徴とする。
【発明の効果】
【００２０】
本発明は複数の像担持体のそれぞれの駆動伝達ギアに１つの中間駆動伝達部材を介して駆動源からの駆動力が伝達されるように構成したために、駆動源から像担持体までの駆動ギア段数を最小にして駆動効率を向上させ、モータの必要定格を抑えて低コスト化・小型化に貢献するとともに、装置の消費エネルギーも抑えて省エネルギー化に効果がある。更には、ギア段数が削減されるため、ギア起因のバンディングを減少させるとともに、摺擦音低減による静音化の効果も得られる。
【発明を実施するための最良の形態】
【００２１】
次に本発明の一実施形態に係る画像形成装置について、図面を参照して説明する。
【００２２】
〔第１実施形態〕
図１は第１実施形態に係る画像形成装置の駆動伝達構成の説明図であり、図２は画像形成装置の全体断面説明図である。
【００２３】
｛画像形成装置の全体構成｝
まず、画像形成装置の全体構成について概略説明すると、図２において、11ａ，11ｂは記録材を収容するカセット部、11ｃは手差しにより記録材を給送するための手差し部、15は記録材をカセット部から後述の転写部に送る記録材搬送部である。また、14は給送タイミングをとるためのレジストローラ、12ｃは手差し部11ｃから記録材を給送する給送ローラである。
【００２４】
５ｙ，５ｍ，５ｃ，５Ｂｋは像担持体としての感光体ドラムで、ｙ，ｍ，ｃ，Ｂｋはそれぞれイエロー、マゼンタ、シアン、ブラックの画像に対応している。10ｙ，10ｍ，10ｃ，10Ｂｋは、不図示のレーザ発光装置からのレーザ光を走査するポリゴンミラーを含み、ポリゴンミラーからのレーザ光を前述の感光体ドラムに導くミラーユニット、６ｙ，６ｍ，６ｃ，６Ｂｋは、一次帯電器、７ｙ，７ｍ，７ｃ，７Ｂｋは感光体ドラム上の潜像をトナーで可視化する現像器、９ｙ，９ｍ，９ｃ，９Ｂｋはクリーナである。
【００２５】
16は現像器７ｙ，７ｍ，７ｃ，７Ｂｋによって可視化されたトナー像を保持する転写媒体となる中間転写体としての中間転写ベルト、16ａは中間転写ベルト16を駆動する駆動ローラ、８ｙ，８ｍ，８ｃ，８Ｂｋは感光体ドラム上のトナー像を中間転写ベルト16に転写する転写帯電器である。中間転写ベルト16上の４色のトナー像は二次転写部において二次転写内ローラ21と二次転写帯電ローラ22のニップ部において記録材上に転写される。
【００２６】
17は定着／加圧ローラ対で、両者の加圧接触したニップ部において定着動作が行われ、記録材にトナー像を定着する。また、19は排出ローラ対であり、記録材を機外へ排出する。
【００２７】
上記構成において、パソコンその他から送られてきた画像情報は不図示の処理部によって電気信号に変換処理される。その信号によって、レーザ・発光装置における発光を制御する。画像信号に応じたレーザ光はポリゴンミラーにより走査され、ミラーユニット10によって画像記録部の感光体ドラム５ｙ，５ｍ，５ｃ，５Ｂｋに照射され、潜像になる。
【００２８】
潜像は次に、感光体ドラム５ｙ，５ｍ，５ｃ，５Ｂｋが図中反時計方向に回転することで、現像器７ｙ，７ｍ，７ｃ，７Ｂｋによりトナー像として可視化され、一次転写帯電器８ｙ，８ｍ，８ｃ，８Ｂｋによって中間転写ベルト16上へと順次転写される。
【００２９】
一方、記録材は、カセット部11ａ，11ｂ、手差し部11ｃうちのいずれかから記録材搬送部15を経てレジストローラ14に送られる。その後、中間転写ベルト16上のトナー像と位置が合うようにタイミングを合わせ、二次転写部へと送られる。
【００３０】
トナー像が転写された中間転写ベルト16は、駆動ローラ16ａに張架された状態で回転され、二次転写帯電ローラから与えられた電荷の作用により、記録材へとトナー像を転写する。
【００３１】
最後に、記録材が定着部に送り込まれ、定着／加圧ローラ17のニップにおける熱と圧力によってトナー像が記録材上に定着される。
【００３２】
｛駆動伝達構成｝
次に上記画像形成装置の画像形成部の駆動構成について説明する。本実施形態にあっては図１に示すように、略一直線上に配置された４個の感光体ドラム５ｙ，５ｍ，５ｃ，５Ｂｋの回転軸の端部に設けられた駆動伝達ギア31ｙ，31ｍ，31ｃ，31Ｂｋにおいて、駆動伝達ギア31ｙ，31Ｂｋに対してはアイドルギア61ａが、駆動伝達ギア31ｍ，31ｃに対してはアイドルギア61ｂが噛み合っている。
【００３３】
また、アイドルギア61ａ，61ｂは装置に固定された回転軸60によって回転自在に支持されている。なお、前記アイドルギア61ａと61ｂとは一体的に形成された中間駆動伝達部材であり、いわゆる段ギアで構成されている。
【００３４】
モータ41の出力軸にはモータギア41ａが取り付けられており、アイドルギア61ａへ駆動を出力する。従って、感光体ドラムを所定の回転数で回転駆動するためには、感光体ドラム５ｙ及び５Ｂｋにおいてはモータギア41ａと駆動伝達ギア31ｙ，31Ｂｋの歯数を所定の比で構成すれば良く、感光体ドラム５ｍ及び５ｃにおいては、モータギア41ａと段ギアの第１ギア部であるアイドルギア61ａの歯数の比と、第２ギア部であるアイドルギア61ｂと駆動伝達ギア31ｍ，31ｃの歯数の比を所定の比で構成すれば良い。
【００３５】
ここで、駆動伝達ギア31ｙ，31ｍ，31ｃ，31Ｂｋの歯数をそれぞれＺ31y、Ｚ31m、Ｚ31c、Ｚ31kとし、モータギア41ａの歯数をＺ41、アイドルギア61ａ，61ｂの歯数をそれぞれＺ61a、Ｚ61bとすると、複数の感光体ドラムを同一の回転数で駆動するには、次の関係が成り立つ。
【００３６】
Ｚ31y＝Ｚ31k  ……(1)
【００３７】
Ｚ31m＝Ｚ31c  ……(2)
【００３８】
Ｚ31y／Ｚ61a＝Ｚ31m／Ｚ61b  ……(3)
【００３９】
また、感光体ドラムとモータ41の回転数をそれぞれＮd、Ｎm［rpm］とすると、次の式が成り立つ。
【００４０】
Ｎd＝Ｚ41／Ｚ31y×Ｎm  ……(4)
【００４１】
以上の式を踏まえ、各ギアのモジュール、ドラムの周速等を決定することでギアの歯数も定まる。
【００４２】
例えば、感光体ドラム径をφ30[mm]として周速100[mm/s]で駆動するならば、感光体ドラム軸の回転数は63.7[rpm]となる。従って、仮にモータギア41ａの歯数を８歯とし、モータ41をＤＣブラシレスと想定すると、駆動伝達ギア31ｙ，31Ｂｋの歯数を200歯にすれば(4)式よりモータ41の回転数が63.7×220／8＝1751[rpm]となり、無理のない回転数で駆動することが可能である。この歯数は、上記従来の構成に比較し、サイズ的にも無理の無い歯数であるといえる。
【００４３】
更に、アイドルギア61ａ，61ｂの歯数をそれぞれ540歯、270歯とすると、(3)式より駆動伝達ギア31ｍ，31ｃの歯数は110歯となり、サイズ的にも無理なく全ての感光体ドラムを同一の回転数で駆動することが可能となる。
【００４４】
このような駆動構成にすることで、最小段数のギア列で、複数の感光体ドラムを回転駆動することが可能となるため、前述した従来の駆動構成に比較して軸損失を低減させ、駆動効率の向上を図ることが可能となる。また、アイドルギア61ａ，61ｂに歯数の多い大径のギアを用いることにより、アイドルギア60ａ，61ｂと駆動伝達ギア31ｙ，31ｍ，31ｃ，31Ｂｋとの正面噛合い率が向上し、この点でも更なる駆動効率の向上を見込むことができると共に、画質的にも有利であるといえる。
【００４５】
また、ここで一般に、ギアの配置角度は２α（α：圧力角）に近づけることで軸損失が低減し、駆動効率が向上することが知られている。そこで、本実施形態ではモータの配置においても、図１に示すように、感光体ドラム５ｍ，５ｃから等距離に配置し、外側の駆動伝達ギア31ｙ，31Ｂｋへの配置角度θ1と、内側の駆動伝達ギア31ｍ，31ｃへの配置角度θ2が鋭角（θ1＜θ2＜90°）になるように構成している。すなわち、モータ41のモータギア41ａとアイドルギア61ａとが噛合する位置と、該ギアの回転中心である回転軸60を結ぶ線分と、感光体ドラム５ｙ，５ｍ，５ｃ，５Ｂｋの回転軸に設けた駆動伝達ギア31ｙ，31ｍ，31ｃ，31Ｂｋとアイドルギア61ａ又は61ｂとが噛合する位置と、前記回転軸60を結ぶ線分とのなす配置角度θ1、θ2が鋭角になるように構成することで、前記２αに近づけている。前述した従来の駆動構成ではギア列の段数が多く、軸の干渉等の問題からこのような配置角度が困難であったため、本実施形態はこの点でも駆動効率の向上に有利な構成であることが分る。
【００４６】
このように本実施形態にあっては、複数負荷の駆動においても駆動損失を最小に抑え、画質・サイズ等を犠牲にすることなく省エネルギー化を可能にするという効果が得られることが分かる。更に、駆動効率の向上によりモータに必要なトルクを抑えることが可能なため、小トルクのモータを用いることができ、コスト的にも有利である。また、ギア段数が削減されるため、ギア歯面での摺擦音も低減し、静音化の効果も得られる。
【００４７】
なお、本実施形態に記載されている構成部品の寸法、材質、形状、その相対配置などは、特に特定的な記載がない限りは、本発明の範囲をそれらのみに限定する趣旨のものではない。例えば、本実施形態ではモータ41としてＤＣブラシレスモータを想定しているが、ステッピングモータを用いてもよい。更にステッピングモータは回転数を適切に調整可能なモータであるため、アイドルギア61ａ，61ｂをモータ軸上に設けてやり、駆動伝達ギア31ｙ，31ｍ，31ｃ，31Ｂｋをダイレクトに駆動してもよい。
【００４８】
〔第２実施形態〕
本発明の第２の実施形態においては、上記第１の実施形態に加え、中間転写ベルト16を駆動する駆動ローラ16ａの回転駆動も同一の駆動源で駆動するよう構成したものであり、以下、図３に沿って詳細な説明を行う。なお、第１の実施形態と同構成部分については同符号を付し、重複した説明を割愛する。
【００４９】
まず、一直線上に配置された感光体ドラム５ｙ，５ｍ，５ｃ，５Ｂｋの回転軸の端部に設けられた駆動伝達ギア31ｙ，31ｍ，31ｃ，31Ｂｋにおいてアイドルギア61ａ，61ｂが噛合っており、アイドルギア61ａにはモータギア41ａが噛み合っているところまでは前述した第１実施形態と同様である。
【００５０】
本実施形態においては、更に、中間転写ベルト16を駆動する駆動ローラ16ａの回転軸の端部に駆動ギア70が設けられており、モータギア41ａから直接入力されるよう配置されている。
【００５１】
ここで、中間転写ベルト16の周速は感光体ドラムのそれに近い速さでなければならないため、感光体ドラム５ｙ，５ｍ，５ｃ，５Ｂｋと駆動ローラ16ａの径をそれぞれＤd、Ｄb[mm]とし、駆動ギア70の歯数をＺ70とすると、前述した式(1)〜(4)に加え、次の関係式が成り立つ。
【００５２】
Ｄd／Ｚ31y＝Ｄb／Ｚ70  ……(5)
【００５３】
従って、例えば感光体ドラム径を30[mm]、駆動ローラ径を36[mm]とすると、(5)式より駆動ギア70の歯数は264歯となる。
【００５４】
このように構成することで、感光体ドラム５ｙ，５ｍ，５ｃ，５Ｂｋと中間転写ベルト16の複数負荷を集約駆動する場合においても、最小段数のギア列で駆動することが可能となる。これにより、上記従来の駆動構成に比較し軸損失を低減させ、駆動効率の向上を図ることができ、画質・サイズ等を犠牲にすることなく省エネルギー化を可能にするという効果が得られることが分かる。
【００５５】
なお、この第２実施形態においても特に特定的な記載がない限りは、この発明の範囲をそれらのみに限定しないものとする。
【００５６】
〔第３実施形態〕
本発明における第１の実施形態、第２の実施形態においては、転写方式として中間転写ベルト16を用いた形態を説明したが、紙、プラスチックシート等のシート材をベルト状や円筒状の記録材搬送体に保持させ、感光体ドラムから転写媒体としての記録材へと直接転写を行う直接転写方式においても、本発明を適用することができる。
【図面の簡単な説明】
【００５７】
【図１】第１実施形態に係る画像形成装置の駆動伝達構成の説明図である。
【図２】画像形成装置の全体断面説明図である。
【図３】第２実施形態に係る画像形成装置の駆動伝達構成の説明図である。
【図４】従来のタンデム方式の画像形成装置の駆動構成を示す説明図である。
【符号の説明】
【００５８】
５ｙ，５ｍ，５ｃ，５Ｂｋ …感光体ドラム
６ｙ，６ｍ，６ｃ，６Ｂｋ …一次帯電器
７ｙ，７ｍ，７ｃ，７Ｂｋ …現像器
８ｙ，８ｍ，８ｃ，８Ｂｋ …転写帯電器
９ｙ，９ｍ，９ｃ，９Ｂｋ …クリーナ
10ｙ，10ｍ，10ｃ，10Ｂｋ …ミラーユニット
11ａ，11ｂ …カセット部
11ｃ  …手差し部
12ｃ  …給送ローラ
14    …レジストローラ
15    …転写材搬送部
16    …中間転写ベルト
16ａ  …駆動ローラ
17    …定着／加圧ローラ対
19    …排出ローラ対
21    …二次転写内ローラ
22    …二次転写帯電ローラ
31ｙ，31ｍ，31ｃ，31Ｂｋ …駆動伝達ギア
41    …モータ
41ａ  …モータギア
60    …回転軸
61ａ  …アイドルギア
61ｂ  …アイドルギア
70    …駆動ギア
【図１】
2005141142.tif 000003
【図２】
2005141142.tif 000004
【図３】
2005141142.tif 000005
【図４】
2005141142.tif 000006